(57)【要約】      （修正有）【課題】撓み変形を可能とし、撓みを利用してフセン積層体の補充が容易なフセン収納具を提供する。【解決手段】可撓性基板２と、この可撓性基板２の表面に取り付けられ、可撓性基板２の表面との間にフセン収納用のポケットを形成する一対のポケット本体１０とを具備する。前記一対のポケット本体１０は、周縁部Ｒの一辺が開口部Ａを形成する自由縁部ｒ２であるとともに、残りの周縁部分が前記可撓性基板２の表面に連結された固定縁部ｒ１である有頂の筐体として構成されており、これらポケット本体１０は、それぞれのポケット本体１０の開口部Ａが、開口部Ａ同士の間に撓み代Ｍをおいて、相互に対峙するように配置されている。【選択図】図１
2020040366.tif 000002
【特許請求の範囲】
【請求項１】
可撓性基板(２)と、
この可撓性基板(２)の表面に取り付けられ、可撓性基板(２)の表面との間にフセン収納用のポケット(Ｐ)を形成する一対のポケット本体(１０)と
を具備し、
前記一対のポケット本体(１０)は、周縁部(Ｒ)の一辺が開口部(Ａ)を形成する自由縁部(ｒ２)であるとともに、残りの周縁部分が前記可撓性基板(２)の表面に連結された固定縁部(ｒ１)である有頂の筐体として構成されており、
これらポケット本体(１０)は、それぞれのポケット本体(１０)の開口部(Ａ)が、開口部(Ａ)同士の間に撓み代(Ｍ)をおいて、相互に対峙するように配置されていることを特徴とする、可撓性フセン収納具。
【請求項２】
前記可撓性基板(２)は、第１方向(Ｘ)に延びる一対の長辺(４)と第１方向と交差する第２方向(Ｙ)に延びる一対の短辺(６)を有しており、
この可撓性基板(２)を、第１方向(Ｘ)の中間に位置しかつ第２方向(Ｙ)に延びる帯状の中間板部(２ａ)と、この中間板部(２ａ)の両側に存する一対の側板部(２ｂ)とで形成して、これら各側板部(２ｂ)の表面にそれぞれポケット本体(１０)を取り付けており、
これらポケット本体(１０)の固定縁部(ｒ１)をコ字状に形成して、前記中間板部(２ａ)側を除く前記側板部(２ｂ)の周辺部分に連結させており、
前記中間板部(２ａ)が撓み変形することにより、可撓性基板(２)を少なくとも略Ｕ字形に変形させることが可能に形成したことを特徴とする、請求項１に記載の可撓性フセン収納具。
【請求項３】
前記開口部(Ａ)を形成する自由縁部(ｒ２)の両端側に第１方向(Ｘ)外側へ切り込んだ一対の切込み部(１８)を形成したことを特徴とする、請求項１又は請求項２に記載の可撓性フセン収納具。
【請求項４】
前記可撓性基板(２)の第１方向(Ｘ)の一半部の裏面側に他半部へ着脱可能に接着することが可能な仮留め部(２０)を設けたことを特徴とする、請求項１から請求項３の何れかに記載の可撓性フセン収納具。
【請求項５】
前記ポケット本体(１０)は、前記可撓性基板(２)よりも柔軟な素材で形成したことを特徴とする、請求項１から請求項４のいずれかに記載の可撓性フセン収納具。
【請求項６】
請求項１から請求項５のいずれかに記載の可撓性フセン収納具(１)と、
前記可撓性基板(２)と一対のポケット本体(１０)との間に保持されたフセン積層体(３０)と、
を具備するフセンディスペンサーであって、
このフセン積層体(３０)は、帯状の複数のフセン(３２)の長手方向の一方の側部である基部(３２ａ)の裏面に粘着部(３４)を設け、当該基部(３２ａ)の粘着部(３４)が別のフセン(３２)の長手方向の他方の側部である先部(３２ｂ)の上に重なるように、前記粘着部(３４)の形成位置を一枚のフセンごとに互い違いに配置させて、これらフセン(３２)を縦方向に積層させてなり、
フセン積層体(３０)の最上位のフセン(３２)の先部(３２ｂ)が一対のポケット本体(１０)の頂板(１２)同士の隙間(２２)を経由して上方へ突出された状態で、当該フセン積層体(３０)の長手方向の両半部(３０ａ、３０ｂ)を前記一対のポケット(Ｐ)内に挿入させたことを特徴とする、フセンディスペンサー。
【発明の詳細な説明】
【技術分野】
【０００１】
本発明は、可撓性フセン収納具及びフセンディスペンサーに関する。
ここでフセンとは、片面に粘着部を有するシートであり、主にシート積層体の形で前記収納具に収納されるものを指す。
【背景技術】
【０００２】
前述のシートの収納具として、
前後両側にカートリッジ挿入口を有するとともに、上板の左右方向に当該上板を前後方向に横断するシート取出し口を開口したマガジン筐体と、
このマガジン筐体内に挿入され、かつ左右一対の半身がヒンジを介して一体的に連結されたカートリッジと
からなるポップアップ(pop-up)式のテープディスペンサーが知られている（特許文献１）。
カートリッジの各半身は、前後に長い長方形の底板の両短辺から一対の垂直板を起立するとともに、これら垂直板の上端の間に水平な長方形のカバー板を架設してなり、両底板の隣接する長辺同士がヒンジ線を介して一体に連続されている。
このようにすることで、前記カートリッジは、それら両底板が水平な第１の状態と両底板が逆Ｖ字形である第２の状態との間で変形することが可能に形成している。
また前記カバー板の隣接する長辺同士の間には、第１の状態で閉じるとともに第２の状態で開くシート供給口が形成されている。
このカートリッジの右半身の右端側又は左半身の左端側には、前記前後一対の垂直板の間にテープ積層体収納用の開口部が形成されている。
ここで“ポップアップ”とは、シート積層体を構成する帯状のシートの長手方向の端部裏面に形成する粘着部を、一枚目のシートでは長手方向一端側、二枚目のシートでは長手方向他端側というように交互に配置しておき、ディスペンサーのシート取り出し口から突出した一枚目のシートの先端部（粘着部が形成されていない方の端部をいう）を摘まんでシート全体を引き抜くと、当該シートにより二枚目のシートの先端部がシート取り出し口から引き出され、この先端部がシート取り出し口に残されるものをいう。
【先行技術文献】
【特許文献】
【０００３】
【特許文献１】米国特許第４５６２９３８号
【特許文献２】特開２０１３−１３２７９９
【発明の概要】
【発明が解決しようとする課題】
【０００４】
特許文献１の収納具にシート積層体を収納するときには、カートリッジの左右何れかの半身の開口部からカートリッジ内へシート積層体を収納し、さらにシート積層体を収納したカートリッジをマガジン筐体に挿入しなければならず、面倒である。シートを使い切った後に補充するときには、マガジン筐体からカートリッジを取り出すという作業が加わり、余計に手間がかかる。
また、特許文献１の収納具は、マガジン筐体とカートリッジとからなり、構造が複雑で製造コストがかかる。
より簡単な構造のフセン収納具として、水平な下板の外周部と、中央部に上方への膨出部を有する上板の外周部とを、前記膨出部内へフセン積層体を挿入した状態で、相互に接着するとともに、前記膨出部の頂部にフセン供給口を開口したものが知られている（特許文献２）。
前記膨出部と向かい合う下板部分の一部にはフセン充填口が開口されている。
この構成によれば、利用者は、フセンを使い切ったときに、
（イ）収納具の下にフセン積層体を位置させて、フセン積層体の一枚目のフセンを、フセン充填口及びフセン供給口を挿通させ、上方へ引き出す、
（ロ）一枚目のフセンがフセン充填口及びフセン供給口を挿通した状態を保ったまま、フセン積層体の長手方向の一半部を、前記フセン充填口から膨出部内へ挿入する、
（ハ）前記フセン積層体をＳ字状に弯曲させることで、フセン積層体の長手方向をフセン挿入口内へ押し込み、フセン積層体の全体を前記膨出部内へ収納させる、
という３つの工程によりフセン積層体を補充することができる（同文献の図７参照）。
しかしながら、需要者は、常に、より利便性が高い製品を求めており、フセンを補充する作業を効率化する工夫が要請される。
【０００５】
本発明の第１の目的は、使い勝手がよいフセン収納具及びフセンディスペンサーを提供することである。
本発明の第２の目的は、撓み変形を可能とし、撓みを利用してフセン積層体の補充が容易なフセン収納具及びフセンディスペンサーを提供することである。
本発明の第３の目的は、フセンを取り出すことが容易なフセン収納具及びフセンディスペンサーを提供することである。
【課題を解決するための手段】
【０００６】
第１の手段は、可撓性基板２と、
この可撓性基板２の表面に取り付けられ、可撓性基板２の表面との間にフセン収納用のポケットＰを形成する一対のポケット本体１０と
を具備し、
前記一対のポケット本体１０は、周縁部Ｒの一辺が開口部Ａを形成する自由縁部ｒ２であるとともに、残りの周縁部分が前記可撓性基板２の表面に連結された固定縁部ｒ１である有頂の筐体として構成されており、
これらポケット本体１０は、それぞれのポケット本体１０の開口部Ａが、開口部Ａ同士の間に撓み代Ｍをおいて、相互に対峙するように配置されている。
【０００７】
本手段では、図１に示すように、可撓性基板２の表面に取り付けられた一対のポケット本体１０は、周縁部Ｒの一辺が開口部Ａを形成する自由縁部ｒ２であり、残りの周縁部分が前記可撓性基板２の表面への固定縁部ｒ１である有頂の筐体として構成している。これらポケット本体１０は、それぞれのポケット本体１０の開口部Ａが、図２に示す如く、開口部Ａ同士の間に撓み代Ｍをおいて、相互に対峙するように配置されている。従って、図３に示すように、前記可撓性基板２を撓み変形させることにより、フセン積層体３０を容易に装着することができる。
【０００８】
「可撓性基板」は、図１に示す単一の板材で形成してもよいが、図７に示すように、前記ポケット本体１０を表側に取り付けた基層Ｌ１と、その基層Ｌ１の裏側に形成された接着層Ｌ２と、接着層Ｌ２を覆う剥離シートＬ３とで形成してもよい。これにより、剥離シートＬ３を剥がして可撓性基板２の基層Ｌ１を目的面（例えば本の表面や机の机面など）に粘着させることができ、使い勝手が良い。
【０００９】
第２の手段は、第１の手段を有し、かつ前記可撓性基板２は、第１方向Ｘに延びる一対の長辺４と第１方向と交差する第２方向Ｙに延びる一対の短辺６を有しており、
この可撓性基板２を、第１方向Ｘの中間に位置しかつ第２方向Ｙに延びる帯状の中間板部２ａと、この中間板部２ａの両側に存する一対の側板部２ｂとで形成して、これら各側板部２ｂの表面にそれぞれポケット本体１０を取り付けており、
これらポケット本体１０の固定縁部ｒ１をコ字状に形成して、前記中間板部２ａ側を除く前記側板部２ｂの周辺部分に連結させており、
前記中間板部２ａが撓み変形することにより、可撓性基板２を少なくとも略Ｕ字形に変形させることが可能に形成した。
【００１０】
本手段では、図１に示す如く、可撓性基板２を、第１方向Ｘの中間に位置しかつ第２方向Ｙに延びる帯状の中間板部２ａと、この中間板部２ａの両側に存する一対の側板部２ｂとで形成して、これら各側板部２ｂの表面にそれぞれポケット本体１０を取り付けている。そして図３に示すように、前記中間板部２ａが撓み変形することにより、可撓性基板２を少なくとも略Ｕ字形に変形させることが可能に形成したから、側板部２ｂの変形余地が少なく、従って側板部２ｂの変形により、側板部２ｂとポケット本体１０との連結箇所が切れてしまうおそれが少ない。
「少なくとも略Ｕ字形に変形することができる」とは、図３に示すように、逆Ｖ字形状に変形させることができる構成を含む。略Ｕ字形に変形する過程の途中で逆Ｖ字形状が表れるからである。さらにＵ字形を通り越して可撓性基板の両端が接するまで撓み変形可能に形成してもよい（図９参照）。
【００１１】
第３の手段は、第１の手段又は第２の手段を有し、かつ
前記開口部Ａを形成する自由縁部ｒ２の両端側に第１方向Ｘ外側へ切り込んだ一対の切込み部１８を形成した。
【００１２】
本手段では、図１に示す如く、前記開口部Ａを形成する自由縁部ｒ２の両端側に第１方向Ｘ外側へ切り込んだ一対の切込み部１８を形成している。この構成によれば、ポケット本体１０へフセン積層体３０を差し込む際に開口部Ａの変形余地が大きくなり、従ってフセン積層体３０の差込みが容易となる。
【００１３】
第４の手段は、第１の手段から第３の手段の何れかを有し、かつ
前記可撓性基板２の第１方向Ｘの一半部の裏面側に他半部へ着脱可能に接着することが可能な仮留め部２０を設けた。
【００１４】
本手段では、図８に示す如く、前記可撓性基板２の第１方向Ｘの一半部の裏面側に他半部へ着脱可能に接着することが可能な仮留め部２０を設けている。従って、図９（Ａ）に示す如く、可撓性基板２を屈曲して一方の端部の仮留め部２０を他方の端部に接着させ、この状態で、前記一方のポケット本体１０Ａの開口部Ａにフセン積層体３０の一半部を挿入し、次に図９（Ｂ）のようにフセン積層体の他半部を他方のポケット本体１０Ｂの開口部Ａに差し込むことができ、使い勝手が良い。
【００１５】
第５の手段は、第１の手段から第４の手段の何れかを有し、かつ
前記ポケット本体１０は、前記可撓性基板２よりも柔軟な素材で形成した。
【００１６】
本手段では、前記ポケット本体１０は、前記可撓性基板２よりも柔軟な素材で形成した。この構成によれば、ポケット本体１０の変形余地が大きくなるから、ポケット本体１０にフセン積層体３０を挿入することが容易である。
【００１７】
第６の手段は、第１の手段から第５の手段のいずれかに記載の可撓性フセン収納具１と、
前記可撓性基板２と一対のポケット本体１０との間に保持されたフセン積層体３０と、
を具備するフセンディスペンサーであって、
このフセン積層体３０は、帯状の複数のフセン３２の長手方向の一方の側部である基部３２ａの裏面に粘着部３４を設け、当該基部３２ａの粘着部３４が別のフセン３２の長手方向の他方の側部である先部３２ｂの上に重なるように、前記粘着部３４の形成位置を一枚のフセンごとに互い違いに配置させて、これらフセン３２を縦方向に積層させてなり、
フセン積層体３０の最上位のフセン３２の先部３２ｂが一対のポケット本体１０の頂板１２同士の隙間２２を経由して上方へ突出された状態で、当該フセン積層体３０の長手方向の両半部３０ａ、３０ｂを前記一対のポケットＰ内に挿入させた。
【００１８】
本手段では、前述の可撓性基板２と一対のポケット本体１０との間に保持させたフセン積層体３０を具備するフセンディスペンサーを提案している。フセン積層体３０の長手方向の両半部３０ａ、３０ｂは、可撓性基板２と各ポケット本体１０とで形成する一対のポケットＰ内に収納させている。この構成によれば、可撓性基板２の撓み変形を利用して、一対のポケット本体１０の開口部Ａを同じ方向に向けることができるから、フセン積層体３０を容易に充填することができる。
本手段の構成中、フセンの粘着部の形成位置を互い違いにしたフセン積層体３０の構造は、１枚目のシートの引き抜きにより２枚目のシートが供給口から引き出されるように構成した、従来のpop-up式シートディスペンサーのそれと同じであり、公知である。
好適な実施態様として、一対のポケット本体１０の間の可撓性基板部分の幅である撓み代Ｍを、未使用状態でのフセン積層体３０の厚みの２倍以下とすることが好適である。撓み代が大きすぎると、最上位のフセンの先部３２ｂを外方へ引いたときに、フセン積層体全体が外へ引き出されてしまうおそれがあるからである。
さらに、フセン積層体３０入りの可撓性収納具の寸法、特に、一対のポケット本体１０の開口部Ａ同士の隙間２２の幅（ギャップ代Ｇ）は、フセン積層体３０の１枚目のフセン３２を引き抜く操作により２枚目以降のフセン３２が連続して引き抜かれることがないように設計するとよい。
【発明の効果】
【００１９】
第１の手段に係る発明によれば、可撓性基板２の表面に取り付けられた一対のポケット本体１０は、周縁部Ｒの一辺が開口部Ａを形成する自由縁部ｒ２であるとともに、残りの周縁部分が前記可撓性基板２の表面に連結された固定縁部ｒ１である有頂の筐体として構成されており、それぞれのポケット本体１０の開口部Ａが、開口部Ａ同士の間に撓み代Ｍをおいて、相互に対峙するように配置されているから、可撓性基板２を撓み変形させることにより、フセン積層体を容易に装着することができる。
第２の手段に係る発明によれば、可撓性基板２を、第１方向Ｘの中間に位置しかつ第２方向Ｙに延びる帯状の中間板部２ａと、この中間板部２ａの両側に存する一対の側板部２ｂとで形成して、これら各側板部２ｂの表面にそれぞれポケット本体１０を取り付けており、前記中間板部２ａが撓み変形することにより、可撓性基板２を少なくとも略Ｕ字形に変形させることが可能に形成したから、側板部２ｂの変形により、側板部２ｂとポケット本体１０との連結箇所が切れてしまうおそれが少ない。
第３の手段に係る発明によれば、前記開口部Ａを形成する自由縁部ｒ２の両端側に第１方向Ｘ外側へ切り込んだ一対の切込み部１８を形成したから、フセン積層体３０の差込みが容易となる。
第４の手段に係る発明によれば、前記可撓性基板２の第１方向Ｘの一半部の裏面側に他半部へ着脱可能に接着することが可能な仮留め部２０を設けたから、可撓性基板２を撓ませて、その一半部の仮留め部２０を他半部へ接着させることにより、前記撓み状態を保持することができ、この状態で開口部Ａ内へフセンを挿入することができるので、使い勝手が良い。
第５の手段に係る発明によれば、前記ポケット本体１０は、前記可撓性基板２よりも柔軟な素材で形成したから、ポケット本体１０にフセン積層体３０を挿入することが容易である。
第６の手段に係る発明によれば、前記可撓性基板２と一対のポケット本体１０との間にフセン積層体３０を保持させたから、フセン積層体３０を充填することが容易である。
【図面の簡単な説明】
【００２０】
【図１】本発明の第１実施形態に係る可撓性フセン収納具を含むフセンディスペンサーの平面図である。
【図２】図１のフセンディスペンサーの側方から見た縦断面図である。
【図３】図１の可撓性フセン収納具にフセン積層体を充填する操作の前半を解説する説明図であり、  同図（Ａ）は、可撓性フセン収納具を逆Ｖ字形に撓ませる段階を、  同図（Ｂ）は、可撓性フセン収納具を撓ませた状態で、フセン積層体の一半部を、一方のポケット本体に挿入した段階を、  それぞれ示している。
【図４】図１の可撓性フセン収納具にフセン積層体を充填する操作の後半を解説する説明図であり、  同図（Ａ）は、フセン積層体の最も上側のフセンを残して、フセン積層体の他半部を、他方のポケット本体に挿入する途中の段階を、  同図（Ｂ）は、前記フセン積層体の他半部を、他方のポケット本体に挿入し終えた段階を、  それぞれ示している。
【図５】図１の可撓性フセン収納具からフセンを取り出す操作を示す説明図であり、  同図（Ａ）はフセン収納具から一枚目のフセンを引き出し始めた段階を、  同図（Ｂ）はフセン収納具から一枚目のフセンを出し切るとともに二枚目のフセンの先端部が引き出される段階を、  同図（Ｃ）は二枚目のフセンの先端部が引き出され、次の引き出し操作を待機する状態をそれぞれ示している。
【図６】第１実施形態の変形例の可撓性フセン収納具の平面図である。
【図７】本発明の第２実施形態に係るフセンディスペンサーの縦断面図である。
【図８】本発明の第３実施形態に係るフセンディスペンサーの平面図である。
【図９】図８の可撓性フセン収納具にフセン積層体を充填する操作を側方から示した説明図であり、  同図（Ａ）は、可撓性フセン収納具を折り重ねるように曲げてその両端部を仮留め部を介して連結した状態で、フセン積層体の一半部を、一方のポケット本体に挿入した段階を、  同図（Ｂ）はフセン収納具から一枚目のフセンを出し切るとともに二枚目のフセンの先端部が引き出される段階を、  同図（Ｂ）は、フセン積層体の最も表側のフセンを残して、フセン積層体の他半部を、他方のポケット本体に挿入する途中の段階を、  それぞれ示している。
【図１０】本発明の可撓性フセン収納具に収納されるフセン積層体の構成及び作用を示す図であり、  同図（Ａ）は、フセン積層体の平面図を、  同図（Ｂ）は、フセン積層体の平面図を、  同図（Ｃ）は、フセン積層体からフセンを引き出す際の作用の説明図を、  それぞれ示している。
【発明を実施するための最良の形態】
【００２１】
図１から図６は、本発明の第１実施形態に係るフセンディスペンサーを示している。
このフセンディスペンサーは、可撓性フセン収納具１と、従来公知のフセン積層体３０とで構成されている。なお、図１及び図２において、可撓性フセン収納具の構造をより明確に示すため、作図の便宜上、フセン積層体３０を想像線で描いている。
前記可撓性フセン収納具１は、一枚の可撓性基板２と、一対のポケット本体１０とを具備している。これら各部材は、例えば合成樹脂、好ましくは塩化ビニール樹脂で形成することができる。
【００２２】
可撓性基板２は、少なくとも可撓性を有する水平な板材であり、好ましくは、平板形状から側方から見てＵ字形又はＶ字形に撓み変形させた後に原形に弾性的に復元することが望ましい。
図示の可撓性基板２は、図１に示す如く、Ｘ方向に延びる一対の長辺４と、Ｙ方向に延びる一対の短辺６とを有する長方形に形成されている。
可撓性基板２は、フセン積層体３０を支持する面が水平を保持できるように或る程度の保形性を有する材料（例えば硬質塩化ビニール）で形成することが好ましい。
【００２３】
ポケット本体１０は、有頂の筐体であり、可撓性基板２との間にポケットＰを形成するように可撓性基板２の表面に取り付けられている（図２参照）。
具体的には、平面形状で見て、周縁部Ｒの一辺が開口部Ａを形成する自由縁部ｒ２であり、かつ残りの周縁部分を可撓性基板２の表面に連結された固定縁部ｒ１としている。
前記自由縁部ｒ２は、Ｙ方向にほぼ直線状に延びているが、その両端側には、第１方向Ｘ外側へ切り込む一対の切込み部１８が形成されている。
これら切込み部１８を設けることにより、各ポケット本体１０の開口部Ａの変形余地が大きくなり、可撓性基板２を撓ませた状態で各ポケット本体１０の開口部Ａより後述のフセン積層体３０の両半部３０ａ、３０ｂを挿入する操作が容易となる（図３（Ｂ）及び図４（Ｂ）参照）。この作用に関しては後述する。
他方、切込み部１８の切込み幅Ｃを大きくすると、過剰に大きくすると、フセンを取り出す作業の際に、ポケット本体の開口部Ａが過剰に開いて、フセン積層体３０全体が外側に引き出されてしまう。切込み幅Ｃがどの程度大きいとフセン積層体全体が外側へ引き出される不都合が生ずるのかについては、フセン積層体と可撓性フセン収納具との間の摩擦抵抗やポケット本体１０の材質などさまざまな要素が関係するため、一概には言えない。しかしながら、各ポケット本体内へのフセン積層体３０の挿入を容易にするという目的からは、フセン積層体３０の厚みｔが１ｍｍ以下である場合、前記切込み部１８の切込み幅Ｃは、０．５〜１ｍｍ程度あれば十分である。
前記切込み部の構成は適宜変更することができ、図６に示すように、切込み部を省略しても構わない。
なお、本明細書において、「自由縁部」とは、固定縁部のように固定されていない縁部という程度の意味である。
前記ポケット本体１０は、ポケットＰへフセン積層体３０を差し込む際及びポケットＰからフセン３２を引き出す際に、開口部Ａが或る程度変形することが望ましい。そうすることにより、それら差し込み及び引き出し作業が円滑に行われるからである。そのためには、ポケット本体１０を、少なくとも可撓性基板２よりも柔軟な素材（例えば軟質塩化ビニール）で形成することが望ましい。
【００２４】
一対のポケット本体１０は、開口部Ａ同士を、一定の隙間２２を存して、対峙させるように可撓性基板２上に配置されている。
本明細書では、開口部Ａ同士の間の基板部分のＸ方向の幅を撓み代Ｍという。この撓み代Ｍは、開口部同士の間の基板部分が撓むことにより、フセン収納具が全体として図３に示す逆Ｖ字形又は逆Ｕ字形に変形することが可能に設計するとよい。
本実施形態では、長方形の可撓性基板２のＸ方向の中間位置に、前述の撓み代Ｍとして帯状の中間板部２ａをとり、この中間板部の両側の側板部２ｂを覆うようにポケット本体１０をそれぞれ取り付けている。具体的には、ポケット本体１０の固定縁部ｒ１をコ字形に形成して、この固定縁部を、これと対応する側板部２ｂの周辺部分に連結させている。
撓み代Ｍは、図１０（Ｂ）に示す未使用状態でのフセン積層体の厚みｔの２倍以下とするとよい。
図示例のポケット本体１０は、図２に示す如く、側板部２ｂと相似する水平な頂板１２の周辺部から、開口部Ａ側を除いて、短い垂下壁部１４を下方へ突出するとともに、この垂下壁部１４の下端から外方へフランジ部１６を外方突出してなる。前記頂板１２の下面と可撓性基板２の上面との間隔は、フセン積層体１０の厚みｔと同程度かそれよりやや大きい値とするとよい。そして前記フランジ部１６の下面を、前記側板部２ｂの周辺部分に連結すればよい。
連結方法としては、従来既知の方法（例えば高周波ウェルダー加工）を用いるとよい。
可撓性基板２とポケット本体１０とは、同質の材料（例えば前述の硬質塩化ビニール及び軟質塩化ビニール）で形成するとよい。そうすることで、高周波ウェルダー加工による溶着がより容易となり、かつ溶接面を小さくすることができる。
可撓性基板２及びポケット本体１０を塩化ビニールで形成する他の理由は、種類が豊富であり、色味や表面処理にバリエーションを付け易いことが挙げられる。
【００２５】
前記一対のポケット本体１０は、図２に示すように、同一の高さを有し、第１方向Ｘと直交する垂直面（図示せず）に対して面対称に形成されることが望ましい。各ポケット本体１０の第１方向の長さに比べて撓み代Ｍは短く、各ポケット本体１０と可撓性基板２との間に形成される一対のポケットＰ内に、フセン積層体３０の長手方向の一半部３０ａ及び他半部３０ｂを同時に保持させることができるように構成している。
各ポケットＰの奥行は、これらポケット内にフセン積層体３０の一半部３０ａ及び他半部３０ｂを挿入させた状態で、フセン積層体３０が第１方向Ｘに多少スライドすることが可能な長さに設計するとよい。
【００２６】
フセン積層体３０は、従来公知のものであり、図１０に示す如く、多数の帯状のフセン３２を積み重ね、各フセンの長手方向の端部の裏面に形成させた層状の粘着部３４によって、相互に粘着させてなる。それら粘着部３４は、１番目のフセン３２Ａでは、長手方向の一端部の裏面に、また２番目のフセン３２Ｂでは、長手方向の他端部の裏面にという具合に互い違いに配置される。この構成により、同図（Ｄ）に示す如く、フセン積層体３０の１番目のフセン３２Ａを引き上げたときには、２番目以降のフセン３２がジグザグ状に引き上げられる。
なお、本明細書において、「粘着」とは、接着の一種であって、常温において僅かな圧を加えることで接着することができ（感圧接着）、かつ対象面に対して幾度も着脱できるものをいう。これに対して、単に「接着」というときには、水・熱・溶剤などを加えて接着するものも除外されない。
【００２７】
図３及び図４は、本実施形態の可撓性フセン収納具１にこのフセン積層体３０を収納するときの手順を示している。
（１）まず、図３（Ａ）に示すように、可撓性フセン収納具１を逆Ｖ字形に撓ませる。そのためには同図に想像線で表すように、可撓性フセン収納具１の両端に利用者の指を掛けて可撓性基板２を撓ませればよい。
（２）次に、図３（Ｂ）に示すように、可撓性フセン収納具１を撓ませたままの状態で、フセン積層体３０の一半部３０ａを、一方のポケット本体１０Ａの開口部Ａに挿入する。
この工程において、開口部Ａの両側には一対の切込み部１８が形成されているため、開口部Ａの変形余地が大きく、フセン積層体３０の一半部３０ａの挿入が容易である。この仕組みについては、後述する。
（３）次に、図４（Ａ）に示すように、フセン積層体３０の表側から１番目のフセン３２Ａを残して、フセン積層体の他半部３０ｂを、他方のポケット本体１０Ｂの開口部Ａに差し込む。
この工程においても、開口部Ａの両側に一対の切込み部１８を設けているために、開口部Ａの変形余地が大きく、他半部３０ｂの差し込みが容易である。
（４）さらに、図４（Ｂ）に示す如く、フセン積層体の他半部３０ｂを、他方のポケット本体１０Ｂの奥まで押し込む。
【００２８】
図５は、可撓性フセン収納具１からフセンを取り出す操作を示している。
（１）まず、図５（Ａ）に示すように、可撓性フセン収納具１の一方のポケット本体１０Ａの開口部Ａより、表側から１番目のフセン３２Ａの先端部を、外側に、より詳しくはＸ方向やや上向きに引っ張る。
すると、図５（Ａ）に矢示するごとく、１番目のフセン３２Ａの粘着部３４と２番目のフセン３２Ｂとの接触面に作用する面内方向への粘着力（面内方向粘着力Ｎ１という）が、２番目のフセン３２Ｂの引っ張り力として作用する。面内方向粘着力Ｎ１は、前記接触面全体に働くために強く作用し、２番目のフセン３２Ｂの先端部は強制的に開口部Ａ側へ引き出される。
（２）そして、図５（Ｂ）に示すように、１番目のフセン３２Ａ全体が２番目のフセン３２Ｂの一半部とともに、一方のポケット本体１０Ａの外へ引き出される。
この状態において、２番目のフセン３２Ｂの他半部は、他方のポケット本体１０Ｂ内に残ったままである。
図５（Ｂ）の状態から、１番目のフセン３２Ａを同じ方向へ引っ張ると、同図に矢示する如く、１番目のフセン３２Ａの粘着部３４と２番目のフセン３２Ｂとの接触面の間に面外方向粘着力Ｎ２が作用する。ここで面外方向粘着力とは、前記接触面と交差する方向に作用する力である。
この面外方向粘着力Ｎ２により、２番目のフセン３２Ｂの一半部３０ａが他方のポケット本体１０Ｂの開口部Ａの上方へ引っ張られるので、２番目のフセン３２Ｂの他半部を他方のポケット本体１０Ｂの内部から引き出そうとする。
この際に、他方のポケット本体１０Ｂの上板１２と２番目のフセン３２Ｂの他半部との間に、摩擦力Ｆが作用する。
前記面外方向粘着力Ｎ２は、前記接触面の境界線上に作用する力であるため、前記面内方向粘着力Ｎ１より弱い力である。このため、前記摩擦力Ｆが前記引き出しに対する抵抗として働くために、１番目のフセン３２Ａの粘着部３４が２番目のフセン３２から剥離していき、遂には２番目のフセン３２から離れる。
以上のことから、２番目のフセン３２Ｂの他半部３０ｂが他方のポケット本体１０Ｂに挿入されたままで１番目のフセン３２Ａの粘着部３４から２番目のフセン３２Ｂが分離する。
（３）１番目のフセン３２Ａの粘着部３４から２番目のフセン３２Ｂが分離した後に、図５（Ｃ）に示す如く、２番目のフセン３２は、新たな１番目のフセンとして一方のポケット本体１０Ａの上に載る。
【００２９】
［実施例］
前記ポケット本体１０の自由縁部ｒ２の両端側では、一対の切込み部１８が形成されている。
各切込み部１８は、各ポケット本体１０の自由縁部ｒ２から、各ポケット本体の第１方向Ｘ外側の端部へ向かって切り込ませるように形成されている。
こうした構成とすることにより、切込み部１８内へフセン積層体３０を挿入させることが容易となる。何故なら、ポケット本体１０の自由縁部ｒ２の両端側に一対の切込み部１８を設けることにより、これら切込み部１８の間の頂板部分は、フセン積層体３０を開口部Ａへ差し込む際に、上側へ捲り上がり易くなる。換言すれば、開口部Ａの変形余地が大きくなり、比較的厚いフセン積層体３０でも切込み部１８内へスムーズに挿入することができる。
好適な図示例では、前記切込み部１８は、直線的な自由縁部ｒ２からＸ方向外側へ円弧状に切り込ませたＲ部に形成されている。もっともこの構造は適宜変更することができる。
【００３０】
一対の切込み部１８を設けたことにより、一対のポケット本体１０は、側方（Ｙ方向）から見て、開口部Ａの下端側に比べて上端側が庇のように突設するように構成されている。
従って、上端側での一対の開口部Ａ同士の距離であるギャップ代Ｇは、下端側での一対の開口部Ａ同士の間の距離である撓み代Ｍよりも小さい。
特許出願人は、この構成の可撓性フセン収納具の試作を行い、次の知見を得た。
（a）撓み代Ｍが小さいときには、フセン積層体３０の充填が困難となる傾向がある。
（b）ギャップ代Ｇが大きいときには、フセンを引き出すときに、２枚以上のフセンを引き出してしまう可能性が増加する傾向がある。
撓み代Ｍが小さいときにフセン積層体３０の充填が困難である理由は次の通りであると考えられる。
撓み代Ｍが小さいと、可撓性フセン収納具を逆Ｖ字形に屈曲させたときの開口部Ａ同士の距離ｍも小さくなる（図３（Ａ）参照）。そして、このｍが小さいと、フセン積層体３０の一半部３０ａを一方の切込み部１８に挿入させた後に他半部３０ｂを他方の切込み部１８に挿入させる工程において、フセン積層体３０の曲がり具合が大となり、曲げ変形に対する抵抗や切込み部１８の内面との摩擦抵抗が増大する。
逆に、撓み代Ｍが大きいと、フセン積層体３０を差し込むときの抵抗が減少し、挿入がスムーズとなる。
またギャップ代Ｇが大きいときに一度の操作で複数のフセンが引き出される可能性が増す理由は次の通りと推察される。
すなわち、ギャップ代Ｇが大きいと、１番目のフセン３２Ａの全体と２番目のフセン３２Ｂの一半部とが一方のポケット本体１０Ａの外側へ引き出され（図５（Ｂ）参照）、さらに２番目のフセン３２Ｂの他半部が他方のポケット本体１０Ｂから引き出される工程の途中において、２番目のフセン３２Ｂの撓みの度合いが小さくなる。
そうなると、２番目のフセン３２Ｂと他方のポケット本体１０Ｂの頂板１２との摩擦力Ｆが小となる。
この摩擦力Ｆが小さいと、２番目のフセン３２Ｂからの１番目のフセン３２Ａの粘着部３４の剥離の進行が遅くなる。
そして摩擦力Ｆの大きさが所要限度未満である場合には、２番目のフセン３２Ｂと１番目のフセン３２Ａの粘着部３４との剥離が完了する前に２番目のフセン３２Ｂが３番目のフセンの一半部とともに他方のポケット本体１０Ｂから引き出されてしまう可能性がある。
すなわち、一度のフセン引出し操作により複数のフセンが引き出されてしまうおそれがある。
本実施形態の構成では、撓み代Ｍに比べてギャップ代Ｇを小さくしているため、言い換えると、各ポケット本体１０の開口部Ａの上側が庇のように内方へ突き出した構成としているため、一度の操作で複数のフセンが引き出される不都合が生じにくい。
それと同時に撓み代Ｍを大きく取ることができるため、フセン積層体の充填作業が容易である。
【００３１】
以下、本発明の他の実施形態を説明する。これらの説明において、第１実施形態と同じ構成については解説を省略する。
【００３２】
図７は、本発明の第２実施形態に係るフセンディスペンサーを示している。本実施形態では、可撓性基板２を、可撓性を有する基層Ｌ１と、この基層の裏面の全部又は一部に形成した粘着層Ｌ２と、少なくとも粘着層の裏面を覆う剥離シートＬ３との３層で形成したものである。
図３に示す手順でフセン積層体３０を可撓性フセン収納具１に収納した後に、剥離シートＬ３を剥がして、机の上の机面などの目的面Ｔに可撓性フセン収納具１を貼り付け、使用すれば良い。なお、図７では、可撓性フセン収納具１の構造をよりよく示すため、フセン積層体を省略して描いている。
【００３３】
図８から図９は、本発明の第３実施形態に係るフセンディスペンサーを示している。
本実施形態では、可撓性基板２の一方の側板部２ｂの裏面に仮留め部２０を形成している。
この仮留め部２０は、図９に示す如く、側方から見て、可撓性基板２を水滴状に撓ませた状態で可撓性基板２の他方の側板部２ｂの裏面に対して着脱可能に接着させるものである。接着の手段として、例えば通常の粘着剤を用いることができる。また仮留め部２０に、接着面を保護するための剥離シートを貼付することができる。
仮留め部２０は、前記可撓性基板の一半部の端部寄りに位置させると、他半部に接着するために撓み変形をさせたときの抵抗力を小さくすることができ、好適である。
第１実施態様の場合には図１〜５の実施形態の場合には、図３（Ａ）に示すように、可撓性基板２の両端に指を掛けて撓み変形させ、この状態で図３（Ｂ）に示すように、フセン積層体３０の一半部３０ａを、一方のポケット本体１０Ａの開口部Ａに挿入させるが、例えば手先が器用でない利用者の場合には、その挿入作業に手間取り、作業の途中で、指が可撓性基板２の端から滑って、可撓性フセン収納具を落としてしまう可能性がある。
本実施形態の場合には、前記仮留め部２０から剥離シートを剥がした後に、可撓性基板２の両端に指を掛け、水滴状になるまで撓ませて、可撓性基板２の一方の側板部２ｂの仮留め部２０を他方の側板部２ｂに接着させればよい。こうすることで前記撓み状態が保持されるので、可撓性基板２の端から指を離してフセン積層体３０の充填作業を行うことができる。
すなわち、図９（Ａ）のように一方のポケット本体１０Ａにフセン積層体３０の一半部３０ａを挿入し、次に図９（Ｂ）のように他半部３０ｂを他方のポケット本体１０Ｂ内へ差し込めばよい。これら工程において、撓み変形した可撓性基板２が原形状に戻ろうとすることにより、可撓性基板２から指を滑らすおそれがないから、落ち着いてフセン積層体３０の充填作業を行うことができ、使い勝手がよい。
またフセン積層体３０の充填作業が完了した後には、前記仮留め部２０と可撓性基板２の他方の側板部２ｂとを分離させればよい。仮留め部２０から剥がした剥離シートを再度仮留め部２０に貼り付けると、仮留め部２０が徒に周囲に付着することを回避できる。
また、図示はしないが、好適な一実施例として第２実施形態と第３実施形態とを組み合わせることができる。すなわち、第２実施形態で述べた如く、可撓性基板２を、可撓性基層と、可撓性基層の裏面全体に設けた粘着層と、粘着層の全体を覆う第１剥離シートとで形成するとともに、第１剥離シートの適所に仮留め部２０を形成し、さらに仮留め部２０を覆う第２剥離シートを設けるとよい。そうすると、仮留め部２０を可撓性基板２の他方の側板部２ｂから分離させた後に、仮留め部とともに第１剥離シートを除去し、目的面に接着することができる。
【符号の説明】
【００３４】
１…可撓性フセン収納具
２…可撓性基板  ２ａ…中間板部  ２ｂ…側板部  ４…長辺  ６…短辺
１０…ポケット本体  １２…頂板  １４…垂下壁部  １６…フランジ部
１８…切欠き部（Ｒ部）  ２０…仮留め部  ２２…隙間
３０…フセン積層体  ３０ａ…一半部  ３０ｂ…他半部  
３２…フセン  ３２ａ…基部  ３２ｂ…先部
３２Ａ…１番目のフセン  ３２Ｂ…２番目のフセン
３４…粘着部
Ａ…開口部  Ｃ…切込み幅  Ｆ…摩擦力  
Ｌ１…基層  Ｌ２…粘着層  Ｌ３…剥離シート  
Ｍ…撓み代  Ｎ１…面内方向粘着力  Ｎ２…面外方向粘着力
Ｐ…ポケット  Ｒ…周縁部  ｒ１…周縁部分（固定縁部）  ｒ２…一辺（自由縁部）
Ｘ…第１方向  Ｙ…第２方向
【図１】
2020040366.tif 000003
【図２】
2020040366.tif 000004
【図３】
2020040366.tif 000005
【図４】
2020040366.tif 000006
【図５】
2020040366.tif 000007
【図６】
2020040366.tif 000008
【図７】
2020040366.tif 000009
【図８】
2020040366.tif 000010
【図９】
2020040366.tif 000011
【図１０】
2020040366.tif 000012